(57)【特許請求の範囲】
【請求項１】
アンテナ（６）及び接合要素を設けた非接触型の読み込み及び書き込み可能なチップ（５）を有し、
前記接合要素は、権利付与・承認された利用者の服装のアイレット（１３）又は類似開口部に挿入することが可能であり、且つ
単に破壊することによって解除可能に固定・取り付け可能である、譲渡不可能な権利付与・承認カードにおいて、
前記カード（１）が、相互に接合可能な二つの平面状部分（３，４）から構成されること、
前記アンテナ（６）を設けた前記チップ（５）が、少なくともその一部分において前記二つの部分（３，４）の相互に接合可能な平面内に配置せられること、及び
前記接合要素が、ループ（９）により形成されており、前記ループ（９）の縁端部（１１，１２）が、前記ループ（９）を取り外した場合、前記アンテナ（６）が破壊され及び/又は前記チップ（５）から引き裂かれるように前記二つの部分（３，４）の相互に接合されるべき平面内で前記アンテナ（６）と嵌合していること
を特徴とする、権利付与・承認カード。
【請求項２】
前記アンテナ（６）を設けた前記チップ（５）が、前記二つの部分（３，４）の少なくとも一つに固定されること及び少なくとも一つの部分（３，４）には、接着剤層（７，８）が設けられて、これら二つの部分（３，４）を相互に接合することを特徴とする、請求項１記載の権利付与・承認カード。
【請求項３】
前記二つの該部分（３，４）が、折り畳み線（２）に沿って一体に相互に結合されることを特徴とする、請求項１又は２の内のいずれか一項記載の権利付与・承認カード。
【請求項４】
前記接着剤層（７，８）には、これら二つの部分（３，４）を相互に接合するに先だって剥離可能な保護被覆層を設けることを特徴とする、請求項１〜３の内のいずれか一項記載の権利付与・承認カード。
【請求項５】
前記ループ（９）が、弓形材として形成されること特徴とする、請求項１〜４の内のいずれか一項記載の権利付与・承認カード。
【請求項６】
前記弓形材（９）が、前記アンテナ（６）の少なくとも一端部と嵌合することを特徴とする、請求項５記載の権利付与・承認カード。
【請求項７】
前記弓形材（９）が、予め張力を掛けられた状態にあることを特徴とする、請求項５又は６記載の権利付与・承認カード。
【請求項８】
前記二つの部分（３，４）の内の少なくとも一つが、少なくとも一部分が透明に形成されることを特徴とする、請求項１〜７の内の何れか一項記載の権利付与・承認カード。
【請求項９】
多数の所定の分離位置（２２）によって分離可能なフィールド（２０）から構成されるキャリヤ（２１）が作製用意されるに際して、権利付与・承認カード（１）の前記二つの部分（３，４）が、前記各フィールド（２０）に接合されること及び前記フィールド（２０）が、前記保護被覆層を切り離した場合に形成されることを特徴とする、請求項４記載の権利付与・承認カードを作製するための装置。
【発明の詳細な説明】
【０００１】
【発明の属する技術分野】
本発明は、特許請求の範囲の請求項１の上位概念に従った、非接触型の読み込み及び書き込み可能なチップを有する、譲渡不可能な権利付与・承認カードに係わる。
【０００２】
【従来の技術】
この種の権利付与・承認カードとしては一種類が公知である（ＷＯ９６／１１４５１）が、一つの孔を有するカードから形成されるものである。接合要素としては例えば、プラスチックシート片が用いられ、孔と例えばアイレット（鳩目）とによってジッパースライドに差込み固定されるのである。これによれば、かかる権利付与・承認カードは、ジッパースライドによって取り外しされることはなく、従って正当に使用権を承認付与されていない人に取り付けすることが出来るのであり、公知の権利付与・承認カードの場合プラスチックシート片の両端部を、例えばケーブルバインダーなどのようなカンヌキ機構によって、従って解放後は破壊される態様で取り外し不能に相互に接合される。このようなカンヌキ閉止されていないプラスチックシート片を有する人は、公知の譲渡不可能なカードを、ジッパースライドに固定したシート片を引き裂いて、新しいカードで代替置換することによって容易に悪用することが出来ることになろう。
【０００３】
【発明が解決しようとする課題】
従って、本発明の課題は、悪用に対する安全保護（セキュリティー）が実質的に改善された、構造・構築が簡単で、譲渡不可能な、非接触で動作する権利付与・承認カードを作製することである。
【０００４】
【課題を解決するための手段】
このことは、本発明に従えば特許請求の範囲の請求項１において特性化された権利付与・承認カードによって実現達成されるのである。従属請求項においては、本発明に従った権利付与・承認カードの有利な実施態様が、表示・記載されている。
【０００５】
本発明に従った権利付与・承認カードの場合、アンテナを有するチップが、権利付与・承認カードの二つの部分の間にある相互に接合された平面の内部に位置するが、ここにおいて接合要素は、一つのループから構成され、その縁端部は、二つの当該部分の間にある相互に接合された平面の内部において接合されるのである。
【０００６】
即ち、権利付与・承認された人の衣服に当該権利付与・承認カードを取り付けることは、該ループを形成するシート片又はその他の接合要素を、例えば正当に使用権を承認付与された人のジッパースライドのアイレットにはめ込み固定することによって行われるのであって、かくしてチップ及びアンテナを有する二つの部分は、これらの間で一つに接合され、その結果外接合要素の両端部が、これら二つの部分の間で相互に接合されることになる。
【０００７】
当該ループは従って、二つの部分の結合平面の接着剤中に強固にアンカー止めされる。このような接合要素を保有し且つ接合された接合要素を破壊し、当該権利付与・承認カードを取り外し且つ新規の権利付与・承認カードを権利付与・承認されていない人の衣服にとりつけようと意図する人が、かくして実際的に排除されることになる。
【０００８】
これら二つの部分を引き離し、かくしてそれらの端部と接合したループを取り外ししようという試みがなされた場合、アンテナが、破壊され及び/又はチップから剥がされることになる。その理由は、アンテナ及び/又はチップは、一体に接合された場合、かかる二つの部分に固定されているからである。
【０００９】
その他アンテナを有するチップは、二つの部分のうちの一つに取り付けし、残りの部分は、接着剤を設けた平面を有することにしてもよい。しかしながら、二つの部分又はチップ及びアンテナを設けた部分のみに、アンテナの一部及び/又はチップ全体に伸展する接着剤平面を設けることも可能である。
【００１０】
好ましくは、このループは、その端部領域と共にアンテナ全体又は必要に応じてそのコイルの少なくとも一つの上を斜行するものであり、従ってこれらの上で接合される。このループの一つの端部を引き出そうと試みた場合、これによってループ端部に接合されたアンテナが、破壊されることになる。
【００１１】
以上により本発明に従えば、一つの性能を利用するための譲渡不可能な被覆層によって人々の非接触的制御を行うための、組み立て構造が簡単であるデータキャリヤが製作されるのであり、これは、例えばスキーリフトやロープウエー装置などへの人々の入場・利用制御装置の書き込み又は読み込み装置と共に“ハンドフリー”で協働する。
【００１２】
該権利付与・承認カードは、好ましくはカード形状に形成される。二つの部分は、例えば紙、ボール紙、フィルム又はその他の平面状材料から構成される。
【００１３】
該権利付与・承認カードの二つの部分のうちの少なくとも一つが、少なくともループが接合される領域において透明に形成された場合、この領域におけるループの操作・処理は、検査を行う際には可視状態とすることが出来る。
【００１４】
接着剤を設けた平面は、一つ又は二つの平面の全表面に渉って伸展していてもよいが、何れにしろこれら二つの部分の間にある接触面の一部に接着剤を設けなければならず、然もチップ及び/又は少なくともアンテナの一部の領域においても同様接着剤を設けねばならない。
【００１５】
該ループは、シート片、紐、フィラメント又は類似した縦長の接合要素であればよく、これらは何れも、衣服に取り付けたアイレット又は類似の開口部、従って例えばジッパースライドのストラップにあるアイレット、ボタン穴、衣服に縫いつけたストラップを貫通して、またプルオーバーのメッシュ部又は類似した衣服の開口部を貫通して伸展させることが出来る。
【００１６】
接合要素が、権利付与・承認カードの範囲外で切断され、その結果権利付与・承認されていない人の衣服に取り付けるために、例えば接着シート片を用いて再度結合された場合、大半の場合は目視可能であり、そのため管理・制御が容易に可能となる。
【００１７】
しかしながらかかる切断を回避するために、強度の高い材料から成るループ、従って例えばシート片など弾性のある接合要素の代わりに特に針金などの金属製の強固な接合要素、従って弓形材又は類似の成型部材などを最初から用いることも出来る。
【００１８】
アンテナは、好ましくは多数の螺旋状に配置したコイルから構成されるのであって、例えば印刷、腐蝕又は打ち抜きによって作製することが出来る。該アンテナはまた、チップに接合された針金から構成されていてもよい。
これによって、二つの部分が暴力的に引き剥がされた場合は、針金がチップから破断されることになる。
【００１９】
該ループが、弓形材から構成される場合、少なくとも弓形材の端部は、アンテナのコイル部と後方から嵌合するように湾曲され且つ接合されるのであって、その結果、カードから暴力的に弓形材を引っ張ろうとする試みがあった場合は破壊されることになる。
【００２０】
該権利付与・承認カードは、例えば有効期限日を印字することが出来る；しかしながら、有効期限日が印字されていない場合のほうが、有利であることもある。その理由は、当該カードを違法に販売する場合は、当該購入者にとっては、本人に違法に提供されたカードが一体有効であるか否かを検証することが出来る可能性が全くないからである。
【００２１】
当該カードを形成するこれら二つの部分は、好ましくは中央部に折り畳み線を有する部材から構成される。これによって、部材を一緒に折り畳み、次いで二つの半分部分又は二つの部分を接合することによって当該カードが形成されることになる。
【００２２】
当該ループ又は弓形材は、折り畳み線の領域内で又は権利付与・承認カードの対向する端部において接合すればよい。即ち、折り畳み線は、権利付与・承認カードを衣服に取り付けた場合は、当該権利付与・承認カードの上部又は下部辺縁上を走行すればよい。折り畳み線が下部辺縁上を走行する実施態様は、例えば弓形材が予め張力を掛けられた状態で接合される場合有利である。権利付与・承認カードの外部で弓形材が破断した場合、弓形材のアンテナ上に接合された領域が、アンテナ上に移動するので、これによってアンテナが破壊されることになる。
【００２３】
本発明に従った権利付与・承認カードを構成する一つ又は二つの部分の内面に位置する接着剤平面には、保護フィルム又は同要の被覆層を設けてもよく、二つの部分を一体に接合する前に、また二つの部分が折り畳み線で相互に結合された場合は一緒に折り畳む前に、剥がして取り除く。
【００２４】
本発明に従った権利付与・承認カードの取り扱い及び使用は、所定の分離線で分離・切り離し可能なフィールドから構成されるキャリヤにおいて、各フィールド上で権利付与・承認カードを構成する二つの部分が接合されているキャリヤを使用することによって、実質的に簡素化・単純化される。当該権利付与・承認カードの二つの部分を有する一つのフィールドを切り離した場合は、当該キャリヤが、保護被覆層を形成することになる。
【００２５】
該キャリヤは、紙、ボール紙、フィルム又はその他の平面状材料から構成されればよい。所定の分離位置は、例えば穿孔することによって形成してもよい。
【００２６】
好ましくは、該キャリヤは、斜方向に走行する所定の分離位置を付した一枚のシート片で構成され、かかるキャリヤは、例えば巻き取ってロールとするか又は塊状に折り畳んでもよい。
【００２７】
【実施例】
以下において、図面を参照して本発明を例示的により詳細に説明する。
【００２８】
図３に従えば、折り畳みを行う前の権利付与・承認カード１'は、折り畳み線２で分離される二つの部分３，４とから構成される。これによって当該二つの部分３，４は、例えばプラスチックフィルムから成る部材又はシートで形成される。
【００２９】
一つの部分４には、非接触型の読み込み及び書き込み可能なマイクロチップ５及びこのマイクロチップ５に接続したアンテナ６が取り付けられるが、このアンテナは、螺旋状の多数のコイルを形成する一本のリードパスから構成される。また部分４には、例えば印刷プロセスによって表面加工がなされる。
【００３０】
これらの部分３，４は、その内面にそれぞれ一つの接着剤層７，８を有しており、その結果図１及び２に従った折り畳みを行った後の権利付与・承認カード１においては、二つの部分３，４は、相互に強固に接合されることになる。部分４の接着剤層８は、アンテナ６及び場合によってはチップ５を被覆することも出来る。
【００３１】
権利付与・承認カード１を使用者の衣服に取り付け固定することが出来るためには、ループ又は弓形材９が設けられ、これは、図１において破線で図示した端部分１１，１２と二つの部分３，４の接着剤層７，８との間において接合される。
【００３２】
二つの部分３，４を一体に接合するに先だって、弓形材９は、図示していないジッパースライドのストラップ１４のアイレット１３によって使用者の衣服に取り付けられる。
【００３３】
弓形材９の端部分１１，１２は、アンテナ６と交差するように曲げられるが、こうすることによってかかる領域においてアンテナ６に接合される。更には、図２において認められるように、この端部分１１，１２は、その終端部でアンテナ６と嵌合するように捻り曲げられる。弓形材９を権利付与・承認カードから引き離そうと試みがなされた場合、これによってアンテナ８は、破壊されることになり、従ってカードも機能不能となる。
【００３４】
図５に従った実施態様は、図１及び２に従った実施態様とは、以下の点で区別される；即ち、図５においてはその一つの部分４しか図示していないが、これら二つの部分との間において、弓形材９が、矢印１５によって具体的に示すように予め張力が掛けられるように狭窄・締結されていることである。弓形材９は、アンテナ６に接合される。弓形材９が、例えば１７において二つに分離された場合、この弓形材９の二つの部分が、矢印１５に相応して移動し、アンテナ６の領域において破線で示した位置９ａ、９ｂに移ることになり、かくしてアンテナが破壊される。図１及び２に従った実施態様においては、折り畳み線２が、上方に配置されるが、一方図５に従った実施態様においては、折り畳み線は、下方に配置される。
【００３５】
同様のことが、図６に従った実施態様についても当てはまるのであって、この実施態様は、図１乃至３及び図５に従った実施態様とは、チップ５が、アンテナ６の一部分６'によってのみ部分４に取り付け・固定されているが、それに対してループ又は弓形材９は、別のアンテナ部分を形成しているという点で異なっているのである。弓形材９の二つの端部分１１，１２はこの場合は、一体に接合されたカード１において、アンテナ部分６'の二つの端部分１８，１９と接触するように形成され且つ配置される。
【００３６】
接合平面７，８には、図３に示した開放されたシート１'において、例えば紙で構成される保護被覆層が設けられる。
【００３７】
図４に従えば、この保護被覆層は、シート片形状のキャリヤ２１のフィールド２０から形成され、そのフィールド上においてシート１'が、順次にそれぞれの接着剤表面７，８と接合される。これらのフィールド２０は、斜方向に走行する所定の分離線２２によって相互に分離される。シート片片状キャリヤ２１は、その上面で接合されたシート１'と共に例えば保管用ローラー２３により巻き取るか又は例えば折り畳みして保管用堆積物とすることが出来る。
【図面の簡単な説明】
【図１】本発明に従った権利付与・承認カードに係る一つの実施態様の上面図である。
【図２】図１に示した権利付与・承認カードのＩＩ−ＩＩ線による縦断面図である。
【図３】折り畳みと弓形材の接合を行う前の、図１に従った権利付与・承認カードの上面図である。
【図４】折り畳みした権利付与・承認カードを順番に接合したキャリヤの概略図である。
【図５】権利付与・承認カードの別の実施態様にかかわる二つの部分のうちの一つの内面の上面図である。
【図６】権利付与・承認カードの更に別の実施態様にかかわる二つの部分のうちの一つの内面の上面図である。
【図１】
0004601178.tif 000002
【図２】
0004601178.tif 000003
【図３】
0004601178.tif 000004
【図４】
0004601178.tif 000005
【図５】
0004601178.tif 000006
【図６】
0004601178.tif 000007